(57)【要約】 【課題】  凝縮器の気相部と液相部のそれぞれを独立に冷却し、凝縮器圧力および凝縮水温度の制御を独立に行える凝縮器の冷却制御装置を提供する。【解決手段】  凝縮器１３の冷却制御装置は、水蒸気Ｗ２を凝縮水Ｗ１に戻す凝縮器１３を冷却する冷却装置の冷却動作を制御する装置である。冷却装置は、凝縮器の気相部７０を冷却する冷却ファン４６と、凝縮器の液相部７１を冷却する冷却ファン４７，４８を備える。さらに冷却制御装置は、気相部の圧力に応じて冷却ファン４６の冷却動作を最適に制御する圧力制御装置６２と、液相部の温度に応じて冷却ファン４７，４８の冷却動作を最適に制御する温度制御装置６４とから構成される。【選択図】    図５        
2005121344.tif 000002
【特許請求の範囲】
【請求項１】
膨張機から排出された気相作動媒体を液相作動媒体に戻す凝縮器と、前記凝縮器から排出された前記液相作動媒体を加圧して蒸発器に供給する供給ポンプとから成る構成で、前記凝縮器を冷却する冷却装置の制御装置であり、
前記冷却装置は、前記凝縮器の気相部を冷却する第１冷却装置と、前記凝縮器の液相部を冷却する第２冷却装置とを備え、
前記気相部の圧力に応じて前記第１冷却装置の冷却動作を制御する圧力制御手段と、
前記液相部の温度に応じて前記第２冷却装置の冷却動作を制御する温度制御手段と、
から成ることを特徴とする凝縮器の冷却制御装置。
【請求項２】
液相作動媒体を加熱して気相作動媒体を発生させる蒸発器と、この蒸発器が排出した気相作動媒体の熱エネルギを機械エネルギに変換する膨張機と、この膨張機が排出した気相作動媒体を冷却して液相作動媒体に戻す凝縮器と、この凝縮器が排出した液相作動媒体を加圧して前記蒸発器に供給する給水ポンプとを備えたランキンサイクル装置において、前記凝縮器の気相部を冷却する第１冷却装置と、前記凝縮器の液相部を冷却しかつ前記第１冷却装置と独立して動作する第２冷却装置とを有する冷却装置の制御装置であって、
前記気相部の圧力に応じて前記第１冷却装置の冷却動作を制御し前記気相部の冷却効率を制御する圧力制御手段と、
前記液相部の温度に応じて前記第２冷却装置の冷却動作を制御し前記液相部の冷却効率を制御する温度制御手段と、
から成ることを特徴とする凝縮器の冷却制御装置。
【請求項３】
前記圧力制御手段は、前記気相部の圧力を前記膨張機から排出される前記気相作動媒体の圧力より低く保持するように前記第１冷却装置を制御することを特徴とする請求項１または２記載の凝縮器の冷却制御装置。
【請求項４】
前記圧力制御手段は、前記気相部の圧力を液相作動媒体のポンプキャビテーション発生圧力より高く保持するように前記第１冷却装置を制御することを特徴とする請求項１〜３のいずれか１項に記載の凝縮器の冷却制御装置。
【請求項５】
前記温度制御手段は、前記液相部の温度を液相作動媒体のポンプキャビテーション発生温度より低く保持するように前記第２冷却装置を制御することを特徴とする請求項１〜４のいずれか１項に記載の凝縮器の冷却制御装置。
【請求項６】
前記温度制御手段は、少なくとも前記凝縮器の出口近傍の排出液相作動媒体の温度を前記液相部の制御対象液相温度とすることを特徴とする請求項１〜５のいずれか１項に記載の凝縮器の冷却制御装置。
【請求項７】
気相作動媒体を液相作動媒体に戻す凝縮器を冷却する冷却装置の制御装置であり、
前記冷却装置は、前記凝縮器の気相部を冷却する第１冷却装置と、前記凝縮器の液相部を冷却する第２冷却装置とを備え、
前記気相部の圧力に応じて前記第１冷却装置の冷却動作を制御する圧力制御手段と、
前記液相部の温度に応じて前記第２冷却装置の冷却動作を制御する温度制御手段と、
から成ることを特徴とする凝縮器の冷却制御装置。
【請求項８】
前記凝縮器の上流側には熱エネルギを機械エネルギに変換し前記気相作動媒体を排出する膨張機が設けられ、前記凝縮器の下流側には前記凝縮器から排出された前記液相作動媒体を加圧して次段に供給する供給ポンプが設けられることを特徴とする請求項７記載の凝縮器の冷却制御装置。
【請求項９】
前記凝縮器の上流側には前記気相作動媒体を排出する圧縮機が設けられ、前記凝縮器の下流側には前記凝縮器から排出された前記液相作動媒体を気相作動媒体に変換する膨張弁が設けられることを特徴とする請求項７記載の凝縮器の冷却制御装置。
【請求項１０】
前記圧力制御手段は、前記気相部の圧力を、上流側から供給される前記気相作動媒体の圧力より低く保持するように前記第１冷却装置を制御することを特徴とする請求項７〜９のいずれか１項に記載の凝縮器の冷却制御装置。
【請求項１１】
前記圧力制御手段は、前記気相部の圧力を、下流側における液相作動媒体のキャビテーション発生圧力より高く保持するように前記第１冷却装置を制御することを特徴とする請求項７〜９のいずれか１項に記載の凝縮器の冷却制御装置。
【請求項１２】
前記温度制御手段は、前記液相部の温度を、下流側における液相作動媒体のキャビテーション発生温度より低く保持するように前記第２冷却装置を制御することを特徴とする請求項７〜１１のいずれか１項に記載の凝縮器の冷却制御装置。
【請求項１３】
前記温度制御手段は、少なくとも前記凝縮器の出口近傍の排出液相作動媒体の温度を前記液相部の制御対象液相温度とすることを特徴とする請求項７〜１２のいずれか１項に記載の凝縮器の冷却制御装置。
【発明の詳細な説明】
【技術分野】
【０００１】
本発明は凝縮器の冷却制御装置に関し、特に、例えば車載エンジンの排熱エネルギを機械エネルギに変換する車載用装置として用いられるランキンサイクル装置の凝縮器において凝縮器圧力と凝縮水温度を独立に制御する凝縮器の冷却制御装置に関する。
【背景技術】
【０００２】
従来、熱エネルギを機械的な仕事に変換するシステムとしてランキンサイクル装置が知られている。ランキンサイクル装置は、循環系を形成する密閉状態の配管システムにおいて、水を液相状態および気相状態で循環させる構造を有するものである。ランキンサイクル装置は、給水ポンプユニットと蒸発器と膨張機と凝縮器を有し、これらを接続する配管で循環回路を形成する。
【０００３】
ランキンサイクル装置の概略的構成を図１８に示す。図１８では、車載用ランキンサイクル装置を想定し、全体の構成を示すと共に、凝縮器の構造および内部状態が詳細に示されている。
【０００４】
図１８において、ランキンサイクル装置は、給水ポンプユニット１１０と蒸発器１１１と膨張機１０７と凝縮器１００を備える。これらの要素は配管１０８，１１５で接続され、循環回路が形成される。給水ポンプユニット１１０に基づき配管１１５を通して毎分所定量で送り出される水（液相）は、蒸発器１１１で熱を与えられ、水蒸気（気相）になる。この水蒸気は次の配管１１５を通して膨張機１０７に送られ、ここで膨張作用を生じる。膨張機１０７での水蒸気の膨張作用で機械装置（図示せず）を駆動することにより機械的な仕事が行われる。その後、降温降圧し膨張作用を終了した水蒸気は配管１０８を通って凝縮器１００へ送られ、ここで水蒸気の状態から水の状態に戻される。その後、配管１１５を通って給水ポンプユニット１１０に戻され、再び給水ポンプユニット１１０から送出され、上記の作用を繰り返すことになる。上記において蒸発器１１１はエンジンから延設された排気管から熱を受ける構造となっている。
【０００５】
次に、上記車載用ランキンサイクル装置での凝縮器１００の構造と作用を詳述する。
【０００６】
車載用ランキンサイクル装置の凝縮器１００は、水蒸気導入室１０１と、集水室１０２と、これらの２つの室を上下方向に接続する多数の冷却パイプ１０３を備えている。図１８では１本の冷却パイプ１０３のみを誇張して示している。冷却パイプ１０３の内部におけるほぼ上半分は水蒸気（気相部分）１０４であり、ほぼ下半分は水（液相部分）１０５である。水蒸気１０４の部分では、水蒸気導入室１０１から冷却パイプ１０３に導入された作動媒体の大部分が気相状態にある。水１０５の部分では、冷却パイプ１０３を流れる作動媒体の大部分が液相状態（凝縮水）にある。水蒸気１０４と水１０５の境界部（気液界面）が液面位置１１２となる。冷却パイプ１０３の背後（図１８中右側）には１台の冷却ファン１０６が備えられ、駆動される。冷却ファン１０６の周囲は筒型シュラウド１０６ａに囲まれている。通常、電子制御ユニットによって凝縮器１００の出口の水温に基づいて冷却ファン１０６の動作を制御する。冷却パイプ１０３は、その上側端部から下側端部まで、１台の冷却ファン１０６によって同時に送風され、冷却される。
【０００７】
上記凝縮器１００は次のように動作する。ランキンサイクル装置の運転に伴って膨張機１０７から降温降圧し排出された比較的に低温の水蒸気は、低圧水蒸気配管１０８を経て凝縮器１００の水蒸気導入室１０１に導入され、冷却パイプ１０３に流入する。冷却ファン１０６に吸引された冷却風１０９が凝縮器１００に供給される。凝縮器１００の上流側の水蒸気１０４、つまり冷却パイプ１０３内に水蒸気と水が混在している部分には冷却ファン１０６によって強い冷却風が作用し、水蒸気が液化する際に放出する潜熱が冷却風によって有効に回収される。また、凝縮器１００の下流側の水１０５、つまり冷却パイプ１０３内に実質的に水だけが存在している部分にも、冷却ファン１０６による冷却風が作用する。凝縮器１００の冷却パイプ１０３内で凝縮した水は集水室１０２に集められる。その後、前述の通り、給水ポンプユニット１１０で加圧されて蒸発器１１１に供給される。
【０００８】
従来の凝縮器１００では、上記のごとく、１台の冷却ファン１０６で凝縮器の全体を冷却している。すなわち、凝縮器１００では、共通の冷却ファン１０６によって水蒸気１０４の気相領域と水１０５の液相領域を同時に冷却することになる。そのため、凝縮器圧力または凝縮水温度のいずれか一方を目標設定値に制御することはできるが、凝縮器圧力と凝縮水温度を同時にそれぞれ任意の目標設定値に制御することはできない。
【０００９】
つまり、冷却ファン１０６の回転数の調整操作に関して、凝縮器圧力を制御するための操作を行う場合には、同時に水１０５が存在する冷却パイプ部分（凝縮水冷却部）での熱交換量も変化するので、水１０５の温度が変化し、凝縮水温度を制御できない。反対に、水１０５の温度（凝縮水温度）を制御するための操作を行う場合には、同時に水蒸気１０４の存在する冷却パイプ部分（凝縮部）での熱交換量も変化するので、凝縮器圧力が変化し、凝縮器圧力を制御できない。
【００１０】
凝縮水温度を制御できない場合、凝縮水温度が高くなると、給水ポンプユニット１１０内でキャビテーションが発生してポンプ機能を低下させ、反対に凝縮水温度が低くなると、その水を蒸発器１１１に供給して再び加熱する際に、余分の熱エネルギを消費するという問題が生じる。
【００１１】
また凝縮器圧力が制御できない場合、凝縮器圧力が上昇すると、膨張機１０７の出力の低下につながり、反対に凝縮器圧力が低くなると、下流側の給水ポンプユニット１１０でキャビテーションが発生してポンプ機能を低下させるという問題が生じる。
【００１２】
従来、凝縮器で複数の冷却ファンを備える構成として、特許文献１および特許文献２に開示される例がある。
【００１３】
特許文献１では、その図２や図３に示されるごとく、凝縮器の気相部と液相部のそれぞれに冷却ファンを備えた構成が開示され、気相部および液相部が個別に冷却される構成が示されている。さらに液相部用の冷却ファンの動作に関して凝縮器の出口水温に基づいて制御する構成が示されている。
【００１４】
また特許文献２に開示される高圧コンデンサ（凝縮器）の制御方法では、高圧コンデンサ本体に対して２台の送風機が設けられ、各送風機は高圧コンデンサの対応する箇所を冷却する。２台の送風機は、状況に応じて両方またはいずれか一方を適宜に動作させて運転台数を増減させ、送風総量を制御するようにしている。従って特許文献２は、２台の送風機および復水出口調節弁等を具備することにより、機内圧力を大気圧力以上で操作すると共に、復水の温度を１００℃以下に過冷却する空冷式の高圧コンデンサを開示する。この高圧コンデンサでは、機内圧力を２台の送風機の運転台数を増減させて冷却のための総風量を調節することにより制御が行われ、機内水位を復水出口調節弁を調節することにより制御が行われる。つまり、特許文献２に開示される２台の送風機を備えた高圧コンデンサでは、目標とする総送風量の範囲に応じて２台の送風機の運転台数を増減させて総送風量を制御する手法を開示し、２台の送風機のそれぞれを気相部用および液相部用にして独立に制御するように構成したものではない。
【００１５】
さらに特許文献３では、復水器内の気相圧力と液相圧力の圧力差を復水器水位設定値と比較して圧力差が一定となるように復水器出口側調節弁を制御する第１の制御器と、復水器内の気相圧力を圧力設定値と比較して気相圧力が一定となるように復水器冷却用ファンを制御する第２の制御器とから成る。この復水機冷却用ファンは１台が用意されるだけであり、冷却ファンに関する構成に関しては図１８で説明した問題と類似する問題を有している。
【００１６】
また凝縮器は、例えば冷凍機においても液相と気相の作動媒体を循環させる循環系を有してその中に含まれている。冷凍機では、図１９に示すごとく、凝縮器３０１と膨張弁３０２と熱交換器（蒸発器）３０３と圧縮機３０４によって循環系が形成される。冷凍機の凝縮器３０１は、その上流で圧縮機３０４と連通し、圧縮機３０４から供給される気相作動媒体を冷却して液相作動媒体に変換する。ここで、凝縮器３０１の気相部での圧力上昇に対して圧縮機３０４はその圧力上昇分に見合う駆動がさらに必要となり、仕事量の増加となる。そこで、圧力に応じた最適な圧力制御により、圧縮機３０４の余分な仕事をなくすことができる。また凝縮器３０１の下流では膨張弁３０２と連通し、凝縮器３０１の液相部から過冷却された液相作動媒体が膨張弁３０２に供給される。ここで、過冷却の度合いの大小の変位（温度の変位）により、膨張弁下流に連通された熱交換器３０３における冷房能力の低減を生じる。ここで、温度に応じた温度制御により液相作動媒体の最適化した過冷却度の大小の変位による冷房能力の低減を防ぎ、所望の冷房能力が確保される。冷凍機の凝縮器３０１においても、気相部および液相部を有し、気相部での圧力、液相部での温度に関してそれぞれで最適な制御が求められる。
【特許文献１】特開２００２−１１５５０４公報（図１〜３、段落００１４等）
【特許文献２】特開昭６３−２０１４９２号公報
【特許文献３】特開平１０−１８５４５８号公報
【発明の開示】
【発明が解決しようとする課題】
【００１７】
本発明の課題は、凝縮器において気相部と液相部のそれぞれを冷却制御対象として別々のものであるとして区分けし、気相部と液相部を別々の冷却装置（冷却ファンや冷却水等）で独立に制御して冷却しようとするものである。さらに、凝縮器の気相部と液相部のそれぞれで制御すべき物理的対象を個別に設定して、気相部と液相部のそれぞれで効率のよい冷却を行えるようにするものである。
【００１８】
より具体的には、ランキンサイクル装置において、凝縮器の気相部では、上流の膨張機および下流の給水ポンプの各作動に対して影響が大きい「圧力」に着目し、最適な圧力を保持するように制御を行うことが望ましい。例えば、気相部において、圧力が高すぎると膨張機の出力が低下し、反対に圧力が低すぎると給水ポンプでキャビテーションを生じるので、これらを避けるべく最適な制御が行われることが望まれる。また凝縮器の液相部では、下流の給水ポンプの作動に対して影響が大きい「温度」に着目し、最適な温度を保持するように制御が行われる。例えば、気相部において温度が高すぎるとキャビテーションを生じるので、これを避けるべく最適な制御が行われることが望まれる。冷凍機においては、凝縮器の気相部で圧力に応じた最適な圧力制御により圧縮機の余分な仕事をなくし、また液相部で温度に応じた最適な温度制御により所望の冷房能力が確保することが望まれる。
【００１９】
本発明の目的は、上記の課題に鑑み、凝縮器の気相部と液相部のそれぞれを別の基準（圧力および温度）で独立に冷却し、凝縮器圧力と凝縮液出口温度の情報に基づき凝縮器圧力および凝縮液出口温度が最適になるようにそれぞれを効率よく冷却し、冷却制御を独立に行える凝縮器の冷却制御装置を提供することにある。
【課題を解決するための手段】
【００２０】
本発明に係る凝縮器の冷却制御装置は、上記の目的を達成するために、次のように構成される。
【００２１】
第１の凝縮器の冷却制御装置（請求項１に対応）：  この凝縮器の冷却制御装置は、膨張機から排出された気相作動媒体（水蒸気）を液相作動媒体（凝縮水）に戻す凝縮器と、凝縮器から排出された液相作動媒体を加圧して蒸発器に供給する供給ポンプとから成る構成で、上記の凝縮器を冷却する冷却装置（冷却ファン、冷却水を利用した装置等）の冷却動作を制御する装置である。冷却装置は、凝縮器の気相部（水蒸気凝縮部）を冷却する第１冷却装置と、凝縮器の液相部（凝縮水冷却部）を冷却する第２冷却装置を備える。さらに冷却制御装置は、気相部の圧力に応じて第１冷却装置の冷却動作を制御する圧力制御部と、液相部の温度に応じて第２冷却装置の冷却動作を制御する温度制御部とから構成される。
【００２２】
第２の凝縮器の冷却制御装置（請求項２に対応）：  この冷却制御装置はランキンサイクル装置に適用される。ランキンサイクル装置は、液相作動媒体を加熱して気相作動媒体を発生させる蒸発器と、蒸発器が排出した気相作動媒体の熱エネルギを機械エネルギに変換する膨張機と、膨張機が排出した気相作動媒体を冷却して液相作動媒体に戻す凝縮器と、凝縮器が排出した液相作動媒体を加圧して蒸発器に供給する給水ポンプとから構成されている。かかるランキンサイクル装置において、上記冷却制御装置は、凝縮器の気相部を冷却する第１冷却装置と、凝縮器の液相部を冷却しかつ第１冷却装置と独立して動作する第２冷却装置とを有する冷却装置に適用される。冷却制御装置は、さらに、気相部の圧力に応じて第１冷却装置の冷却動作を制御し気相部の冷却効率を制御する圧力制御部と、液相部の温度に応じて第２冷却装置の冷却動作を制御し液相部の冷却効率を制御する温度制御部と、から構成されている。
【００２３】
以上の凝縮器の冷却制御装置の各構成によって、凝縮器の気相部の水蒸気圧力および液相部の凝縮水温度をそれぞれ独立に最適な圧力および温度に制御することができる。凝縮器の気相部を最適な圧力にすることによって膨張機の出力低下を抑えることが可能となる。液相部を最適な温度にすることによって下流の高圧給水ポンプでのキャビテーションの発生を抑えることが可能となる。
【００２４】
すなわち、凝縮器における気液界面の上流側の気相部とその下流側の液相部とを独立して個別に冷却する冷却装置を設けることにより、気相部専用の冷却装置は凝縮器の気相圧力に応じて気相部の冷却効率を制御し、液相部専用の冷却装置は凝縮器の液相温度に応じて液相部の冷却効率を制御する。気相部の冷却制御により、膨張機出力の低下防止、膨張機の高効率運転、ポンプキャビテーションの防止、熱エネルギ損失の低減、ポンプ作動の安定化が達成される。また液相部の冷却制御により、ポンプキャビテーションの防止、熱エネルギ損失の低減、ポンプ作動の安定化が達成される。
【００２５】
上記において、「膨張機出力低下」、「ポンプキャビテーション」、「熱エネルギ損失」は次の意味を有する。
【００２６】
「膨張機出力低下」は、凝縮器圧力が膨張機排出圧力より高くなると、膨張機へ作動媒体が逆流し、膨張機出力低下を生じることを意味する。「ポンプキャビテーション」は、凝縮器圧力が低くなると、凝縮水の沸点温度が下がり、キャビテーションを発生しやすくなることを意味する。また凝縮水温度が高くなり、凝縮水の沸点温度に近づくと、同様にキャビテーションを発生する。従って、熱エネルギの損失を少なくするため、凝縮水温度をできるだけ高温に保ちながら、キャビテーション発生を起こさない凝縮温度および凝縮器圧力とすることが好ましい。なおポンプキャビテーションを生じると、高圧給水ポンプがポンプ機能の低下をきたす。「熱エネルギ損失」は、凝縮水温度が下がりすぎると、蒸発器での再加熱時、温度低下分の熱エネルギを要し、熱エネルギの損失となることを意味する。
【００２７】
第３の凝縮器の冷却制御装置（請求項３に対応）は、上記の各構成において、好ましくは、気相部の圧力を、膨張機から排出される気相作動媒体より低く保持するように第１冷却装置を制御することで特徴づけられる。これにより、膨張機の出力低下を防止する。
【００２８】
第４の凝縮器の冷却制御装置（請求項４に対応）は、上記の各構成において、好ましくは、圧力制御部は、気相部の圧力を液相作動媒体のポンプキャビテーション発生圧力より高く保持するように第１冷却装置を制御することで特徴づけられる。これにより、ポンプキャビテーションを防止する。
【００２９】
第５の凝縮器の冷却制御装置（請求項５に対応）は、上記の各構成において、好ましくは、温度制御部は、液相部の温度を液相作動媒体のポンプキャビテーション発生温度より低く保持するように第２冷却装置を制御することで特徴づけられる。これにより、ポンプキャビテーションを防止し、液相温度を適正化し、過度の過冷却を防止し熱エネルギの損失を抑制する。
【００３０】
第６の凝縮器の冷却制御装置（請求項６に対応）は、上記の各構成において、好ましくは温度制御部は、少なくとも凝縮器の出口近傍の排出液相作動媒体の温度を液相部の制御対象液相温度とすることで特徴づけられる。これにより、ポンプキャビテーション防止、過度の過冷却を防止し熱エネルギ損失を抑制することができる。ポンプでの凝縮水温度を適温に保つべく、冷却装置により凝縮された液相作動媒体の温度変化の実体値に近い凝縮器出口近傍の排出液相作動媒体の温度をもって液相作動媒体の温度制御対象としたので、応答性よく冷却装置の冷却効率を制御することができ、最適な液相温度を安定して保つことができる。
【００３１】
また他の観点からの第７の凝縮器の冷却制御装置（請求項７に対応）：  気相作動媒体を液相作動媒体に戻す凝縮器を冷却する冷却装置の制御装置であり、冷却装置は、凝縮器の気相部を冷却する第１冷却装置と、凝縮器の液相部を冷却する第２冷却装置とを備える。さらに冷却制御装置は、気相部の圧力に応じて第１冷却装置の冷却動作を制御する圧力制御部と、液相部の温度に応じて第２冷却装置の冷却動作を制御する温度制御部と、から構成される。
【００３２】
第８の凝縮器の冷却制御装置（請求項８に対応）は、上記の構成において、好ましくは、凝縮器の上流側には熱エネルギを機械エネルギに変換し気相作動媒体を排出する膨張機が設けられ、凝縮器の下流側には凝縮器から排出された液相作動媒体を加圧して次段に供給する供給ポンプが設けられることを特徴とする。この構成はランキンサイクル装置に含まれる凝縮器であり、この構成では、気相部を最適な圧力にすることによって膨張機の出力低下を抑えることができ、液相部を最適な温度にすることによって下流の高圧給水ポンプでのキャビテーションの発生を抑えることができる。
【００３３】
第９の凝縮器の冷却制御装置（請求項９に対応）は、上記の構成において、好ましくは、凝縮器の上流側には気相作動媒体を排出する圧縮機が設けられ、凝縮器の下流側には凝縮器から排出された液相作動媒体を気相作動媒体に変換する膨張弁が設けられる。この構成は冷凍機に含まれる凝縮器であり、この構成では、気相部を最適な圧力にすることによって圧縮機の余分な仕事をなくすことができ、液相部を最適な温度にすることによって液相作動媒体の最適化したな過冷却度の大小の変位による冷房能力の低減を防ぐことができる。
【００３４】
第１０の凝縮器の冷却制御装置（請求項１０に対応）は、上記の構成において、好ましくは、圧力制御部は、気相部の圧力を、上流側から供給される気相作動媒体の圧力より低く保持するように第１冷却装置を制御することを特徴とする。
【００３５】
第１１の凝縮器の冷却制御装置（請求項１１に対応）は、上記の構成において、好ましくは、圧力制御部は、気相部の圧力を、下流側における液相作動媒体のキャビテーション発生圧力より高く保持するように第１冷却装置を制御することを特徴とする。
【００３６】
第１２の凝縮器の冷却制御装置（請求項１２に対応）は、上記の構成において、好ましくは、温度制御部は液相部の温度を、下流側における液相作動媒体のキャビテーション発生温度より低く保持するように第２冷却装置を制御することを特徴とする。
【００３７】
第１３の凝縮器の冷却制御装置（請求項１３に対応）は、上記の構成において、好ましくは、温度制御部は、少なくとも凝縮器の出口近傍の排出液相作動媒体の温度を液相部の制御対象液相温度とすることを特徴とする。
【発明の効果】
【００３８】
凝縮器の冷却ファン等による冷却制御において、気相部と液相部を別々に冷却ファンを設け、それぞれ独立した制御（気相部での圧力制御、および液相部での温度制御）に基づいて送風冷却動作させるようにしたため、気相部と液相部のそれぞれを最適な冷却効率で制御することができる。
【発明を実施するための最良の形態】
【００３９】
以下、本発明の好適な実施形態（実施例）を添付図面に基づいて説明する。
【００４０】
最初に、図１を参照して本発明に係るランキンサイクル装置の全体システムの構成を説明する。
【００４１】
ランキンサイクル装置１０は、蒸発器１１と、膨張機１２と、凝縮器１３と、供給ポンプを備えた給水ポンプユニット１４とから構成される。蒸発器１１から膨張機１２へは配管１５により接続され、膨張機１２から凝縮器１３へは配管１６により接続され、凝縮器１３から給水ポンプユニット１４へは配管１７により接続され、給水ポンプユニット１４から蒸発器１１へは配管１８により接続されている。かかる配管構造によって、ランキンサイクル装置１０内で作動媒体が循環する循環回路が形成される。ランキンサイクル装置１０において作動媒体は水または水蒸気である。
【００４２】
ランキンサイクル装置１０の循環回路は、水または水蒸気を循環させる外界に対して密閉された循環構造を有している。ランキンサイクル装置１０の循環回路において、凝縮器１３における破線Ｐ１で示された液面位置から給水ポンプユニット１４を通って蒸発器１１に水（液相）が移動する。図１で水の部分に係る配管１７，１８は太い実線で表現されている。また蒸発器１１から膨張機１２を通って凝縮器１３の液面位置Ｐ１に到る部分は水蒸気（気相）が移動する。図１で水蒸気の部分に係る配管１５，１６は太い破線で表現されている。
【００４３】
ランキンサイクル装置１０は、熱源から排出される熱を利用して水を水蒸気に相変化させ、水蒸気の膨張作用を利用して機械的な仕事を生じさせるものである。水を水蒸気に相変化させる機構が上記蒸発器１１である。この実施形態に係るランキンサイクル装置１０は、後述するごとく、自動車に搭載する車載用装置として構成している。そのため、蒸発器１１は、排気ガスの有する熱を熱源として利用する。すなわち蒸発器１１は、エンジン（内燃機関）の排気管４５を通る排気ガスの熱を利用して、給水ポンプユニット１４から供給される水を加熱し、さらに過熱することにより昇温昇圧させた高温高圧の水蒸気を発生させる。蒸発器１１で発生した高温高圧の水蒸気は膨張機１２に供給される。なお、排気管４５に拘らず、エンジンの排気バルブより下流の排気ポートや排気マニホルド（不図示）等の、より高温の排気ガスの熱を利用できることは言うまでもない。
【００４４】
膨張機１２では、その出力軸１２ａが、モータ／ジェネレータ（Ｍ／Ｇ）１９のロータ等（不図示）に接続され、発電機として駆動させている。膨張機１２は、蒸発器１１から供給される高温高圧の水蒸気を膨張させる構造を有し、この水蒸気の膨張作用に基づき出力軸１２ａを回転させる。膨張機１２の出力軸１２ａが回転すると、モータ／ジェネレータ１９のロータを回転させ、所要の機械的回転動作または発電動作を行わせる。これにより、排気ガスの熱を利用して機械的な仕事を行うことができる。また膨張機１２の出力軸１２ａは、油圧ポンプ２５にも接続され、これを駆動させる。
【００４５】
上記のごとく膨張機１２は、蒸発器１１から配管１５を通して供給される高温高圧の水蒸気の膨張作用によって機械的な仕事を出力し、モータ／ジェネレータ１９や油圧ポンプ２５等の各負荷を動作駆動させる。膨張機１２から排出され、降温降圧された水蒸気は、温度および圧力が低下し、その状態で配管１６を経由して凝縮器１３に供給される。凝縮器１３は、膨張機１２からの水蒸気を冷却して液化する。凝縮器１３での液化で生じた水（凝縮水）は配管１７を経由して給水ポンプユニット１４に戻される。給水ポンプユニット１４の高圧給水ポンプ４４は、凝縮器１３で液化された凝縮水を加圧し、配管１８を通して再び蒸発器１１に供給する。
【００４６】
上記のような全体システム構成を有するランキンサイクル装置１０は、他の関連構成要素として、次のような要素を備えている。
【００４７】
蒸発器１１の近傍の配管１８の部分には配管１８内の圧力変動に応じて配管１８内の圧力調整を行うための安全弁２２が取り付けられる。膨張機１２のケーシング２１には、漏れた水蒸気を配管１６に戻すためのブリーザ（セパレータ）２３が設けられる。また膨張機１２の下部にはオイル溜め２４を備え、オイル溜め２４からの水が混入したオイルを油圧ポンプ２５によって、配管２６を通して油コアレッサ２７を通すようにしている。油コアレッサ２７によって水とオイルは分離され、水は比重差から油タンク２８の下部に収容される。油タンク２８にはフロートセンサ２９で動作する弁機構３０が取り付けられている。また油コアレッサ２７によって分離された油タンク２８の上部に溜められたオイルは配管３１を通ってオイル溜め２４に戻される。油タンク２８の下部に溜められた水は、弁機構３０の動作で給水ポンプユニット１４の開放タンク３２に配管３３を通して供給される。給水ポンプユニット１４の開放タンク３２からは、給水作動するリターンポンプ３７を介しおよび逆止弁３４を介して、凝縮器１３への配管３５が設けられている。凝縮器１３には、液面位置の近傍に、液面センサ３８とエアベント３９が設けられる。開放タンク３２から凝縮器１３への給水は、液面センサ３８からの信号でオン・オフ動作するモータ３６で駆動されるリターンポンプ３７によって行われる。さらに凝縮器１３にはエアベント３９を通して開放タンク３２に排水する配管４０が設けられている。凝縮器１３から排出される凝縮水を戻す配管１７は、給水ポンプユニット１４の密閉タンク４１内の水コアレッサ４２に接続されている。また密閉タンク４１内の水は、モータ４３によって動作する高圧給水ポンプ４４によって配管１８を通して蒸発器１１に供給される。さらに凝縮器１３にはその場所に応じて独立に冷却風を生じさせるための複数の冷却ファン４６，４７，４８が設けられている。
【００４８】
上記の構成において、凝縮器１３の内部の液面位置から下側部分に関連する装置部分、および給水ポンプユニット１４によって作動媒体供給装置が構成される。ランキンサイクル装置１０における密閉された作動媒体の循環系において、膨張機１２のブリーザ２３から漏れた作動媒体は出口Ｐ２を介して、配管１６に戻され、循環系内に戻される。
【００４９】
図２は、上記の給水ポンプユニット１４の具体的構造を示す構成図である。給水ポンプユニット１４は、水コアレッサ４２と密閉タンク４１と駆動モータ４３で動作する高圧給水ポンプ４４と開放タンク３２とリターンポンプ３７と逆止弁３４とから構成される。なお図２中、駆動モータ４３の回転軸４９が紙面に平行に図示してあるが、これは説明の便宜のためであって、実際は、回転軸４９が紙面に垂直になるように配置されている。駆動モータ４３の回転軸４９にはカム機構４９ａが係合しており、カム軸となっている。
【００５０】
上記において、水コアレッサ４２は油分分離を行う。密閉タンク４１は高圧給水ポンプ４４からのリーク水を直接回収する。高圧給水ポンプ４４は、要求水量をポンプ回転数により制御して供給する。また開放タンク３２は、系外へのリーク水の一時貯蔵をするためのものである。リターンポンプ３７は密閉タンク４１へのリーク水の戻しまたは凝縮機１３の過冷却器への水の戻しを行う。すなわち、リターンポンプ３７は、逆止弁１５１を備えた配管１５２を通して開放タンク３２から密閉タンク４１へリーク水を戻し、必要に応じて逆止弁３４を備えた配管３５を通して凝縮器１３の過冷却器に水を送る。配管１５２における逆止弁１５１は密閉タンク４１からの逆流を防止し、配管３５における逆止弁３４は、凝縮機１３の過冷却器からの逆流を防止する。凝縮器１３の出口１３ａからの水は、配管１７を通して水コアレッサ４２を通過させて油を含んだ水を油水分離し、水のみが駆動モータ４３により駆動される高圧給水ポンプ４４に入る。高圧給水ポンプ４４は配管１８を通して水を蒸発器１１に送る。またリーク水が配管４０により開放タンク３２に戻される。
【００５１】
次に、図３を参照して、上記のランキンサイクル装置１０を車両に搭載したときの構成例を説明する。
【００５２】
２０１は車両前部のボディ形状の輪郭を示し、２０２は前輪を示している。ボディ２０１の内部はエンジンルーム２０３になっており、エンジンルーム２０３内にはエンジン５０が搭載されている。エンジン５０の背面側には排気マニホルド５１が設けられ、排気マニホルド５１には前述した排気管４５が接続されている。上記の蒸発器１１は、排気管４５における排気マニホルド５１に近い箇所に設けられる。蒸発器１１には、高圧給水ポンプ４４からの配管１８が接続されている。配管１８は、排気マニホルド５１から排出される排気ガスの熱を熱源とする蒸発器１１に水を供給する。蒸発器１１は、排気ガスの熱で水を水蒸気に相変換し、膨張機１２の水蒸気流入口５２に接続される配管１５によって水蒸気を膨張機１２に供給する。膨張機１２は、水蒸気の膨張エネルギを機械的エネルギに変換する。
【００５３】
膨張機１２の水蒸気流出口５３は配管１６につながっている。この配管１６と、高圧給水ポンプ４４の入口側に通じる密閉タンク４１との間には、水蒸気を冷却・凝縮させて液体にする凝縮器１３が配置されている。凝縮器１３は車両前部の前面に位置している。図３では、その他に、開放タンク３２、水コアレッサ４２、リターンポンプ３７、油コアレッサ２７、過冷却器（凝縮器１３の液相部）５４、エアベント３９、逆止弁３４等のレイアウト状態が示されている。
【００５４】
上記の高圧給水ポンプ４４、蒸発器１１、膨張機１２、凝縮器１３等は、前述の通り、熱エネルギを機械的エネルギに変換するランキンサイクル装置を構成している。
【００５５】
次に、上記ランキンサイクル装置の動作を水および水蒸気の流れに沿って説明する。
【００５６】
凝縮器１３で冷却・凝縮された水は、高圧給水ポンプ４４で加圧され、配管１８を通って蒸発器１１に供給される。
【００５７】
液相作動媒体である水は、蒸発器１１で熱エネルギを付加されて加熱され、さらに過熱されて昇温昇圧された高温高圧の水蒸気となり、膨張機１２に供給される。膨張機１２は、昇温昇圧された高温高圧の水蒸気の膨張作用によって熱エネルギを機械エネルギに変換する。これにより、膨張機１２に付設されたモータ／ジェネレータ１９は機械的エネルギを得る。
【００５８】
膨張器１２から流出した水蒸気は降温降圧された水蒸気となり、凝縮器１３に流入する。凝縮器１３に流入した降温降圧された水蒸気は、ここで再び冷却・凝縮され、その後、凝縮水となって水コアレッサ４２を介して高圧給水ポンプ４４に供給される。以後、作動媒体である水は上記の循環を繰り返し、膨張機１２に昇温昇圧された高温高圧の水蒸気を供給し続ける。
【００５９】
次に、図４〜図１３を参照して、上記ランキンサイクル装置１０における凝縮器１３内に貯留される水の液面位置の制御について説明する。
【００６０】
図４は上記ランキンサイクル装置１０のシステムを凝縮器１３を中心にして描いたものであり、凝縮器１３は車両前方側から見た正面図として描かれている。図４では、凝縮器１３の内部における作動媒体の状態（水（または凝縮水）：Ｗ１、水蒸気：Ｗ２）が示されている。また図５は凝縮器１３における冷却ファン４６，４７，４８の配置関係を示す凝縮器の側面図であり、同時に内部の状態も示されている。図６は凝縮器１３の背面における冷却ファン４６〜４８の配置関係を示す図である。
【００６１】
凝縮器１３は、上端部に水蒸気導入室１３Ａ、下端部に集水室１３Ｂを備え、さらに中央に中間室５６を備える。水蒸気導入室１３Ａと中間室５６の間、中間室５６と集水室１３Ｂとの間には、それぞれ、複数本の冷却パイプ５５が設けられ、各室は連通された状態になっている。冷却パイプ５５の周囲には冷却フィン５５ａが設けられている。
【００６２】
凝縮器１３の水蒸気導入室１３Ａは、配管１６を介して膨張機１２の水蒸気流出口５３と接続されている。凝縮器１３の集水室１３Ｂは、配管１７等を介して給水ポンプユニット１４に接続されている。前述の通り、膨張機１２は配管１５を介して蒸発器１１に接続され、同様に給水ポンプユニット１４は配管１８を介して蒸発器１１に接続されている。蒸発器１１は、排気管４５を介してエンジン（熱源）５０の排気ガスからの熱５０Ａを受ける。給水ポンプユニット１４内には、前述した通りの密閉タンク４１、水コアレッサ４２、高圧給水ポンプ４４、駆動モータ４３、開放タンク３２、リターンポンプ３７、モータ３６等の各構成要素が示されている。
【００６３】
凝縮器１３では、水蒸気Ｗ２が冷却されて凝縮し、水（凝縮水）Ｗ１となり、その内部の下側に貯留される。中間室５６内で示された水平線６５は、凝縮器１３内に貯留された水Ｗ１の液面の位置を示している。中間室５６内の液面６５の位置に対応させて所要の位置に液面センサ３８と中間排水口５９が設けられている。液面センサ３８から出力される液面位置に係る検出信号は制御装置６０に送られる。制御装置６０は、液面位置検出信号に基づきモータ制御指令信号を生成し、このモータ制御指令信号をリターンポンプ３７のモータ３６に与える。他方、中間排水口５９には水蒸気用のエアベント３９が接続される。エアベント３９の出口側は、チャッキ弁５８を備えた配管４０を介して開放タンク３２に通じている。配管４０には並行に排気ポンプ５７が付設されている。
【００６４】
また凝縮器１３では、図５および図６に示されるように、その背面側に、水蒸気Ｗ２の存在領域部分（気相部または水蒸気凝縮部）に対応して冷却ファン４６が配置され、水Ｗ１の存在領域部分（液相部または凝縮水冷部）に対応して冷却ファン４７，４８が配置されている。冷却ファン４６の冷却動作は、例えば水蒸気Ｗ２が供給される配管１６に取り付けられた圧力センサ６１の水蒸気圧力検出信号に基づき圧力制御装置６２によって制御される。冷却ファン４６は水蒸気圧力の調整に用いる凝縮用冷却ファンである。また冷却ファン４７，４８の冷却動作は、例えば水Ｗ１が流れる配管１７に取り付けられた温度センサ６３の水温検出信号に基づき温度制御装置６４によって制御される。冷却ファン４７，４８は凝縮水を冷却するための水冷却用冷却ファンである。図５で、Ａ１は冷却ファン４６の回転動作に基づく前方からの冷却用空気の流れを示し、Ａ２は冷却ファン４７，４８の回転動作に基づく前方からの冷却用空気の流れを示している。上記のように、凝縮器１３では、水蒸気Ｗ２に対応する機器部分である気相部（水蒸気凝縮部）７０の冷却と、水Ｗ１に対応する機器部分である液相部（凝縮水冷却部）７１の冷却は、それぞれ独立に行われる。気相部の圧力制御および液相部の温度制御の詳細については後述される。７２は、独立な各冷却領域を区画するシュラウドである。
【００６５】
上記の構成において、膨張機１２の水蒸気流出口５３から出る水蒸気は大気圧相当である。上側の冷却パイプ（凝縮管）５５の各々の出口集合部である中間室５６では、液面６５をこの空間内に位置するよう調整するために、エアベント３９から水を排出する。また高圧給水ポンプ４４は、ランキンサイクル装置１０のメインの循環回路の給水ポンプとして、所要量の水を蒸発器１１に送る。
【００６６】
さらに上記の構成において、リザーブ用開放タンク３２は、大気開放型であり、システム内の密閉された循環回路に対しリザーブ用として予備的な水を保有しておく。リターンポンプ３７は、液面センサ３８の信号を受けて凝縮器１３内に給水する。排気ポンプ５７は、凝縮器１３を負圧で運転するときはエアベント３９の下流を吸引する。
【００６７】
なお、上記の排気ポンプ５７の動作については、図５に示した圧力センサ６１と圧力制御装置６２によって負圧時を感知させることにより動作させたり、あるいは、液面センサ３８の検出により液面６５の位置が所定範囲の上限を超えるときに感知させ、制御装置６０によって動作させる、ように構成することができる。
【００６８】
またチャッキ弁５８は、凝縮器１３内が負圧になる場合に大気の逆流を防ぐ。逆止弁３４は、リターンポンプ３７の逆流を防止する。水蒸気用エアベント３９は、水、空気は通すが水蒸気は通さない。中間排水口５９は不凝縮性ガスの排出、水のオーバーフローにより凝縮水の液面６５の位置の変化に制限を与え、所定の範囲で液面位置が変動するようにするためのものである。液面センサ３８は、液面６５に係る位置信号を制御装置６０に出力する。制御装置６０は、液面６５の位置が中間室５６内に存するようにリターンポンプ３７の動作を制御する。液面６５の位置は、エアベント３９と液面センサ３８の間の範囲に含まれる高さ位置になるように制御される。液面センサ３８には、例えば静電容量式レベルセンサやフロート式レベルスイッチが用いられる。
【００６９】
圧力センサ６１は、凝縮器１３の内部の圧力を検出するもので、基本的に水蒸気Ｗ２の圧力を検出する。圧力制御装置６２は、凝縮器１３の内部圧力が設定値になるように冷却ファン４６を動作させる。温度センサ６３は、凝縮水Ｗ１の温度を検出する。温度制御装置６４は、凝縮水温度が設定値になるように冷却ファン４７，４８を動作させる。
【００７０】
図７〜図９を参照してエアベント３９の構造・作用を詳述する。図７と図８はエアベント３９の閉じているときの状態を示し、図７は縦断面図、図８は図７でのＡ−Ａ線断面図である。また図９はエアベントの開いているときの状態を示す縦断面図である。図７等において、エアベント３９の左側が凝縮器側であり、右側が大気側である。エアベント３９は、内部が飽和水蒸気で満たされているときには密閉され（図７）、水や空気などの不凝縮性ガスが存在するときには自動的に開放され、水や不凝縮性ガスを排出して再び密閉する（図９）。
【００７１】
エアベント３９は、容器中央の位置に配置された弁６６と、この弁６６を支持する弁サポート６７と、弁口（パッキン）６８を備える。弁サポート６７で支持された弁６６は、弁口６８を塞ぐことができる位置関係にて配置されている。弁６６は２枚のダイヤフラム６６ａを密閉空間を形成するように組み合わせて形成され、その内部の密閉空間にサーモリキッド（感温液）６９を収容している。サーモリキッド６９は、水と同じように、或る圧力下、或る温度以下では液体であり、或る温度以上になると気体となって膨張するという特性を有している。図１０にサーモリキッドの飽和曲線Ｃ１と水の飽和曲線Ｃ２を示す。サーモリキッド６９が気体になる温度は、水が蒸気になる温度よりもΔＴ（約１０℃）だけ低い温度であるため、エアベント３９の内部が水蒸気Ｗ２の雰囲気の時にはサーモリキッド６９は気化して気体となっており、膨張したサーモリキッド６９の入った密閉空間が両側のダイヤフラム６６ａを外方へ押し、ダイヤフラム６６ａで形成される弁６６と弁口６８との間にあった隙間を閉じる（図７）。逆に内部が低温である場合（周囲環境が空気のごとき不凝縮性ガスＡ３等である状態）はサーモリキッド６９は液体の状態であり、ダイヤフラム６６ａは内方へ収縮し、弁６６と弁口６８の間の隙間から空気等が排出されることになる（図９）。
【００７２】
以上の構成において、制御装置６０は、冷却ファン４６で冷却して水蒸気Ｗ２を水（凝縮水）Ｗ１に戻す凝縮器１３における液面６５の位置を所定範囲内で変化させるように制御するための制御装置である。制御装置６０は、凝縮器１３における気相部７０と液相部７１との境界である液面６５の位置を検出する液面センサ３８からの検出信号に基づき、上記の所定範囲の下限よりも低下するときには凝縮器１３内に水を供給するリターンポンプ３７のモータ３６の動作を制御し、不足分の水を開放タンク３２から配管３５を介して補充する。また液相部７１の液面６５の位置が上記の所定範囲の上限を超えるときには、中間排水口５９とエアベント３９等により開放タンク３２に超過した水を排出する。こうして、液面センサ３８に基づく下限およびエアベント３９に基づく上限で決まる範囲によって液面６５の位置の望ましい所定範囲が設定される。
【００７３】
さらに詳しく説明する。凝縮器１３の中間室５６に、水（凝縮水）Ｗ１を排水するのための中間排水口５９を設置して液面６５の上限位置を規制する。中間排水口５９以上に液面６５が上昇したときは中間排水口５９からリザーブ用開放タンク３２に水をオーバーフローさせることにより液面６５の位置を下げる。液面６５が中間排水口５９より下側に位置するときには、中間排水口５９から水蒸気が排出されないように、中間排水口５９にはエアベント３９が設置されている。図７〜図９に示したように、水蒸気の排出を阻止するためのエアベント３９は、内部に水蒸気が存在するときには自動的に閉弁し、内部に空気（不凝縮ガス）や水が存在するときには自動的に開弁する作動を行う。また中間排水口５９の下側の位置には液面センサ３８を配置して、液面６５の位置が液面センサ３８よりも低下したときには開放タンク３２からリターンポンプ３７により給水して液面６５の位置を液面センサ３８の位置まで上昇させる。上記の作用に基づき液面６５の位置は常に中間排水口５９と液面センサ３８の間の範囲内に維持される。中間排水口５９と液面センサ３８の間隔が広くなると、水蒸気Ｗ２側と水（凝縮水）Ｗ１側の伝熱面積の誤差が大きくなる。逆に当該間隔が小さくなると、リターンポンプ３７とエアベント３９の動作が頻繁に起きることになる。従って、中間排水口５９と液面センサ３８の間隔は、これらの２つの影響が共に小さくなる範囲に設定されればよい。さらに該伝熱面積を一定化することを主眼とすれば、当該間隔は限りなく小さく、ゼロとすることが望ましい。
【００７４】
図１１に液面６５の位置設定の詳細を示す。図１１で、（Ａ）は液面センサ３８とエアベント３９と液面６５の位置関係を示し、（Ｂ）は液面位置とエアベントの動作とリターンポンプの動作との関係を表で示している。
【００７５】
図１１の（Ａ）では、上限液面位置としてＨＡ、下限液面位置としてＨＢ、液面位置６５としてＨＬがそれぞれ設定されている。液面６５の位置ＨＬが上限液面位置ＨＡより高いときには、エアベント３９は開状態であり、リターンポンプ３７はオフ（ＯＦＦ）である。液面６５の位置ＨＬが、上限液面位置ＨＡと下限液面位置ＨＢの間にあるときは、エアベント３９は閉状態であり、リターンポンプ３７はオフである。液面６５の位置ＨＬが下限液面位置ＨＢより低いときには、エアベント３９は閉状態であり、リターンポンプ３７はオン（ＯＮ）である。以上により、液面６５の変動は上限液面位置ＨＡと下限液面位置ＨＢの範囲内に抑えられる。
【００７６】
またランキンサイクル装置１０の起動・停止時や過渡的変化時に水蒸気の流入量（質量流量）や凝縮器１３から高圧給水ポンプ４４への排水量（質量流量）が変化する場合にも、凝縮器１３の内部における液面６５の位置の変動を抑制し、安定して凝縮器１３の運転を行うことができる。
【００７７】
さらに、図４で示したように、ランキンサイクル装置１０の密閉された主回路とは別に、大気開放のリザーブ用開放タンク３２が設けられている。開放タンク３２は、凝縮器１３と、その中間排水口５９に接続されたエアベント３９とチャッキ弁５８を介して接続されている。また開放タンク３２の下部は、リターンポンプ３７と配管３５と逆止弁３４を介して凝縮器１３の出口部１３ａに接続されている。液面６５が中間排水口５９より高い場合には水は開放タンク３２にオーバーフローされ、液面６５が液面センサ３８より低い場合にはリターンポンプ３７が作動して水の補充が行われる。凝縮器１３の下流に位置する高圧給水ポンプ４４は給水量が制御されているため、リターンポンプ３７が作動すると、凝縮器１３内への給水で液面６５が上昇して液面センサ３８の位置でリターンポンプ３７は停止する。また中間排水口５９と液面センサ３８を含む領域に中間室５６を設けて複数の冷却パイプ（凝縮管）５５が集合するような構造としたため、中間排水口５９からの排水時やリターンポンプ３７からの給水時に液面６５の変化の応答性を良好にし、かつ安定させることができる。なお、水蒸気導入室１３Ａ側と集水室１３Ｂ側の中間室５６部分を各冷却パイプ（凝縮管）５５が連通されていればよく、中間室５６を設けることは必須のことではない。
【００７８】
次に、図１２のフローチャートを参照して、制御装置６０において実施される液面位置制御の流れを説明する。
【００７９】
最初に、液面センサ３８によって液面６５の位置ＨＬの読込みを行う（ステップＳ１０）。液面位置ＨＬが上限液面位置ＨＡよりも高いか否かが判断される（ステップＳ１１）。もし液面位置ＨＬが上限液面位置ＨＡより高いときには、エアベント３９が開かれて排水され、液面６５が下げられる（ステップＳ１２）。その後、リターンに移行してステップＳ１０に戻る。もし液面位置ＨＬが上限液面位置ＨＡ以下のときには、エアベント３９を閉じる（ステップＳ１３）。次のステップでは、液面位置ＨＬが下限液面位置ＨＢより低いか否かが判断される（ステップＳ１４）。もし液面位置ＨＬが下限液面位置ＨＢより低いときには、リターンポンプ３７がオンになり、水が補給される（ステップＳ１５）。もし液面位置ＨＬが下限液面位置ＨＢ以上のときには、リターンポンプ３７がオフとなり、水の補給は行われない（ステップＳ１６）。その後、リターンに移行してステップＳ１０に戻る。
【００８０】
図１３は、本実施形態に係るランキンサイクル装置１０を搭載した車両の車速変化とエンジン出力変化と蒸発器への給水流量と凝縮器の液面位置の変化を、従来装置と比較して示すタイミングチャートである。図１３の（Ａ）は車速の変化、（Ｂ）はエンジン出力の変化、（Ｃ）は従来装置での蒸発器給水流量の変化、（Ｄ）は従来装置の凝縮器での液面位置の変化、をそれぞれ示す。図１３で横軸は時間である。ランキンサイクル装置が搭載された車両が図１３（Ａ）で示すような車速変化をするとき、図１３（Ｂ）で示すようにエンジン出力が変化し、それに関連して図１３（Ｃ）に示すように蒸発器への給水流量の変化が生じ、さらに図１３（Ｄ）に示すように凝縮器の液面位置が変化する。換言すれば、横方向の時間軸において、車両が時刻ｔ１，ｔ３，ｔ５で発進し、時刻ｔ２，ｔ４，ｔ６で停止したとき、その車両の発進・停止に伴ってエンジン出力は変化し、蒸発器への給水流量も変化し、凝縮器の液面位置が変動する。
【００８１】
上記のように、従来の車載用ランキンサイクルの凝縮器１００では、図１３（Ａ）に示したように車両の発進・停止時や過渡的車速変化時に、図１３（Ｂ）に示すごとくエンジン出力が変化するので、蒸発器１１１への給水流量が変化し、凝縮器１００の冷却パイプ１０３における液面位置１１２が変動することになる。つまり、凝縮器１００において、水蒸気の流入量が凝縮水の排水量より多い場合には液面位置１１２は上昇し、水蒸気の流入量が凝縮水の排水量より少ない場合には液面位置１１２は低下することになる。
【００８２】
上記に対して、本実施形態の構成によれば、車両が図１３（Ａ）で示すような車速変化をするとき、前述の通り液面位置の制御が行われるので、液面位置は、車両の発進時と停止時において上限位置ＨＡと下限位置ＨＢの間での変動のみであり、大きな変動は起こらない。
【００８３】
以上のように、凝縮器１３内に貯留される水（凝縮水）Ｗ１の液面６５の位置変動を所定範囲に抑制することにより、凝縮器１３における水蒸気に対応する気相部と凝縮水に対応する液相部の互いの伝熱面積の変化を低減して、その伝熱面積の変化を考慮することなく冷却を行え、かつ制御の精度向上を図り、ポンプ装置内のキャビテーションおよび、蒸発器１１での再加熱の際の余分な熱エネルギの消費を低減する凝縮器１３の液面位置制御装置を得ることができる。
【００８４】
また伝熱面積の変化幅を許容範囲内に保つことができ、かつ液相作動媒体の排出と補充供給の切換え動作にヒステリシスを持たせることができ、それによって切換え動作の頻度を少なくし、凝縮器の作動安定化と共に、排出および補充供給に係わる装置の耐久性が向上する。さらに、液相作動媒体（水）を排出して設定液面を適切に制御しつつ、気相作動媒体（水蒸気）の排出は阻止するので、凝縮器の作動安定化を図ることができる。また、液相作動媒体を蓄えたリザーブ用開放タンクからリターンポンプを介して直接に設定液面まで液相作動媒体の補充供給することができ、これにより液面位置の調整をポンプの高応答・高精度の供給量制御により、液面位置を早期に正確に安定させることができる。さらに、回路内で作動媒体の総質量流量を維持しつつ液面位置制御が可能となり、作動媒体の外部への排出、および外部からの補充という特別な装置を付加する必要がない循環回路として構成できる。さらに、凝縮器の各冷却パイプ毎の液面位置のばらつきを少なくでき、液相作動媒体の排水および補充供給時における液面を早期に正確に安定させることができ、凝縮器の作動安定化を行うことができる。
【００８５】
次に、凝縮器１３における冷却装置の構成と作用について詳述する。
【００８６】
凝縮器１３の冷却装置は、凝縮器１３の液面（気液界面位置）６５より上流側の気相部７０を冷却する第１の冷却装置と、液面６５より下流側の液相部７１を冷却する第２の冷却装置とから構成される。第１冷却装置は冷却ファン４６とその駆動装置および制御装置とから成る。第２冷却装置は冷却ファン４７，４８とその駆動装置および制御装置とから成る。第１冷却装置と第２冷却装置は独立して動作するように構成されている。
【００８７】
冷却ファン４６の冷却回転動作は、圧力センサ６１で検出された気相部７０内の水蒸気圧力に基づいて圧力制御装置６２によって制御される。気相部７０の水蒸気圧力を制御することにより凝縮器１３における気相部７０の冷却効率を最適に制御する。冷却ファン４７，４８の冷却回転動作は、温度センサ６３で検出された液相部７１内の凝縮水温度に基づいて温度制御装置６４によって制御される。液相部７１の凝縮水温度を制御することにより凝縮器１３における液相部７１の冷却効率を最適に制御する。以上のごとく、冷却ファン４６および冷却ファン４７，４８のそれぞれは個々の制御系に基づいて独立の関係で制御される。
【００８８】
上記において圧力制御装置６２は、気相部７０の圧力が膨張機排出圧力よりも高くなると膨張機１３へ水蒸気Ｗ２が逆流し膨張機出力を低下させるので、膨張機１３での排出水蒸気圧力より気相部７０の圧力を低圧に保持すべく、冷却ファン４６による冷却効率を制御する。同時に圧力制御装置６２は、気相部７０の圧力が低くなると凝縮水Ｗ１の沸点温度が下がりキャビテーションが発生しやすくなるので、高圧給水ポンプ４４の吸入口での水のキャビテーション発生圧力より気相部７０の圧力を高圧に保持すべく、冷却ファン４６による冷却効率を制御する。上記のごとく圧力制御装置６２は２つの条件を満足させるように最適な制御を行う。
【００８９】
凝縮器１３の気相部７０の圧力制御には、例えば、上限圧力ＰＡと下限圧力ＰＢが設定されたヒステリシス特性を持つ圧力スイッチによるオン・オフ制御を用いることができる。その場合、上限圧力ＰＡと下限圧力ＰＢの差が大きすぎると圧力制御の誤差が大きくなり、その差が小さすぎると冷却ファン４６のオン・オフ動作が頻繁に起きるので部品の耐久性上好ましくない。従って上限圧力ＰＡと下限圧力ＰＢの間隔は、これらの２つの影響が共に小さくなる範囲に設定することが望ましい。
【００９０】
また上記において、温度制御装置６４は、凝縮水温度が高くなり沸点温度を超えるとキャビテーションが発生するので、熱エネルギの損失を少なくできると共にキャビテーションが発生しない最適な高い温度を保つように、液相部７１の冷却ファン４７，４８による冷却効率を制御する。本実施形態では、温度制御装置６４は、好ましくは、少なくとも凝縮器１３の出口近傍の排出液相作動媒体の温度をもって液相部７１の制御対象液相温度とする。
【００９１】
凝縮器１３の液相部７１内の凝縮水Ｗ１の温度制御には、上限温度ＴＡと下限温度ＴＢが設定されたヒステリシス特性を持つ温度スイッチによるオン・オフ制御を用いることができる。その場合、上限温度ＴＡと下限温度ＴＢの差が大きすぎると、温度制御の誤差が大きくなり、その差が小さすぎると冷却ファン４７，４８のオン・オフ動作が頻繁に起きるので部品の耐久性上好ましくない。従って上限温度ＴＡと下限温度ＴＢの間隔はこれらの２つの影響が共に小さくなる範囲に設定することが望ましい。
【００９２】
次に、図１４を参照して凝縮器１３の気相部７０の圧力制御のプロセスを具体的に説明する。最初に、圧力センサ６１によって、気相部７０の圧力すなわち凝縮器圧力Ｐｃの読込みを行う（ステップＳ２１）。凝縮器圧力Ｐｃが圧力設定値（上限値）ＰＡよりも大きいか否かを判断する（ステップＳ２２）。凝縮器圧力Ｐｃが圧力設定値ＰＡより大きい場合には冷却ファン４６を回転させて冷却を行い、凝縮器圧力を下げる（ステップＳ２３）。その後、リターンしてステップＳ２１に戻る。凝縮器圧力Ｐｃが圧力設定値ＰＡ以下の場合には、凝縮器圧力Ｐｃが他の圧力設定値（下限値）ＰＢよりも低いか否かを判断する（ステップＳ２４）。凝縮器圧力Ｐｃが圧力設定値ＰＢより低い場合には、冷却ファン４６の回転動作を停止して凝縮器圧力を上げる（ステップＳ２５）。凝縮器圧力Ｐｃが圧力設定値ＰＢ以上の場合にはリターンしステップＳ２１に戻る。
【００９３】
図１５は上記の圧力制御プロセスに基づく運転例を示す動作特性図である。横軸は時間を示し、縦軸を凝縮器圧力（Ａ）および冷却ファン４６の動作に係る出力状態（Ｂ）を示している。図１５で直線Ｌ１０は上限の圧力設定値ＰＡを表し、直線Ｌ１１は下限の圧力設定値ＰＢを表す。また波形Ｃ１０は凝縮器圧力の変化を示し、波形Ｃ１１は冷却ファン４６の動作（出力）の変化を示している。
【００９４】
図１５で、時刻ｔ１，ｔ３，ｔ５で凝縮器圧力が圧力設定値ＰＡになると、冷却ファン４６はファン出力Ｆになり、時刻ｔ２，ｔ４，ｔ６で凝縮器圧力が圧力設定値ＰＢになると、冷却ファン４６のファン出力はゼロとなる。このように、圧力設定値ＰＡ，ＰＢで定まる範囲を基準にして当該範囲に凝縮器圧力が納まるように冷却ファン４６の回転に基づく冷却動作がオン・オフ制御される。
【００９５】
次に、図１６を参照して凝縮器１３の液相部７１の温度制御のプロセスを具体的に説明する。最初に、温度センサ６３によって、液相部７１の温度すなわち凝縮水温度ＴＷの読込みを行う（ステップＳ３１）。凝縮水温度ＴＷが温度設定値（上限値）ＴＡよりも大きいか否かを判断する（ステップＳ３２）。凝縮水温度ＴＷが温度設定値ＴＡより大きい場合には冷却ファン４７，４８を回転させて冷却を行い、凝縮水温度を下げる（ステップＳ３３）。その後、リターンしてステップＳ３１に戻る。凝縮水温度ＴＷが温度設定値ＴＡ以下の場合には、凝縮水温度ＴＷが他の温度設定値（下限値）ＴＢよりも低いか否かを判断する（ステップＳ３４）。凝縮水温度ＴＷが温度設定値ＴＢより低い場合には、冷却ファン４７，４８の回転動作を停止して凝縮水温度を上げる（ステップＳ３５）。凝縮水温度ＴＷが温度設定値ＴＢ以上の場合にはリターンしステップＳ３１に戻る。
【００９６】
図１７は上記の温度制御プロセスに基づく運転例を示す動作特性図である。横軸は時間を示し、縦軸を凝縮水温度（Ａ）および冷却ファン４７，４８の動作に係る出力状態（Ｂ）を示している。図１７で直線Ｌ２０は上限の温度設定値ＴＡを表し、直線Ｌ２１は下限の温度設定値ＴＢを表す。また波形Ｃ２０は凝縮水温度の変化を示し、波形Ｃ２１は冷却ファン４７，４８の動作（出力）の変化を示している。
【００９７】
図１７で、時刻ｔ１，ｔ３で凝縮水温度が温度設定値ＴＡになると、冷却ファン４７，４８はファン出力Ｆになり、時刻ｔ２，ｔ４で凝縮水温度が温度設定値ＴＢになると、冷却ファン４７，４８のファン出力はゼロとなる。このように温度設定値ＴＡ，ＴＢで定まる範囲を基準にして当該範囲に凝縮水温度が納まるように冷却ファン４７，４８の回転に基づく冷却動作がオン・オフ制御される。
【００９８】
上記のごとく、凝縮器１３の気相部７０と液相部７１のそれぞれを独立して個別に冷却する。気相部７０は凝縮器の気相圧力に応じてその冷却効率を制御され、これにより膨張機の出力低下を防止でき、膨張機を高効率で運転でき、ポンプキャビテーションを防止でき、熱エネルギ損失を低減でき、ポンプ作動を安定化できる。液相部７１は、凝縮器の液相温度に応じてその冷却効率を制御され、これによりポンプキャビテーションを防止でき、熱エネルギ損失を低減でき、ポンプ作動を安定化できる。
【００９９】
上記の実施形態ではランキンサイクル装置の凝縮器について説明したが、本発明は冷凍機の凝縮器に適用することができるのは勿論であり、気相部の圧力制御および液相部の温度制御のそれぞれを独立に最適に行うことにより有用の効果を発揮させることができる。
【産業上の利用可能性】
【０１００】
本発明は、車載用ランキンサイクル装置等で凝縮器の圧力と温度を最適に制御する装置として利用される。
【図面の簡単な説明】
【０１０１】
【図１】発明に係るランキンサイクル装置の全体システムを示す構成図である。
【図２】本実施形態に係る給水ポンプユニットの内部構造を示す部分断面側面図である。
【図３】本発明に係るランキンサイクル装置を車両に搭載したときの配置構成を示す図である。
【図４】ランキンサイクル装置の作動媒体の流れを示すシステム構成図である。
【図５】凝縮器の部分の内部構造と周辺装置を示す側面図である
【図６】凝縮器の背面における冷却装置を示す背面図である
【図７】エアベントの閉じているときの構造を示す断面図である。
【図８】図７におけるＡ−Ａ線断面図である。
【図９】エアベントの開いているときの構造を示す断面図である。
【図１０】サーモリキッドと水の飽和曲線を示すグラフである。
【図１１】液面位置設定の詳細を説明するための図である。
【図１２】凝縮器の液面位置制御装置の動作フローを示すフローチャートである。
【図１３】本発明に係るランキンサイクル装置を搭載した車両の車速変化とエンジン出力変化と蒸発器への給水流量と凝縮器の液面位置の変化を示すタイミングチャートである。
【図１４】凝縮器圧力の制御プロセスを示すフローチャートである。
【図１５】凝縮器圧力の制御プロセスの運転例を示すタイミングチャートである。
【図１６】凝縮水温度の制御プロセスを示すフローチャートである。
【図１７】凝縮水温度の制御プロセスの運転例を示すタイミングチャートある。
【図１８】従来の車載用ランキンサイクル装置を簡略して示した模式図である。
【図１９】従来の冷凍機の概略的に示した模式図である。
【符号の説明】
【０１０２】
１０      ランキンサイクル装置
１１      蒸発器
１２      膨張機
１３      凝縮器
１４      給水ポンプユニット
３２      開放タンク
３７      リターンポンプ
３８      液面センサ
３９      エアベント
４１      密閉タンク
４２      水コアレッサ
４３      モータ
４４      高圧給水ポンプ
４５      排気管
４６，４７，４８  冷却ファン
【図１】
2005121344.tif 000003
【図２】
2005121344.tif 000004
【図３】
2005121344.tif 000005
【図４】
2005121344.tif 000006
【図５】
2005121344.tif 000007
【図６】
2005121344.tif 000008
【図７】
2005121344.tif 000009
【図８】
2005121344.tif 000010
【図９】
2005121344.tif 000011
【図１０】
2005121344.tif 000012
【図１１】
2005121344.tif 000013
【図１２】
2005121344.tif 000014
【図１３】
2005121344.tif 000015
【図１４】
2005121344.tif 000016
【図１５】
2005121344.tif 000017
【図１６】
2005121344.tif 000018
【図１７】
2005121344.tif 000019
【図１８】
2005121344.tif 000020
【図１９】
2005121344.tif 000021